(57)【要約】【課題】  容易かつ簡単に積層帳票を作製して製本することができる製本装置を提供する。【解決手段】  製本装置１０は連続帳票１を供給する連続帳票供給部１１と、連続帳票供給部１１から供給される連続帳票１の側縁にのり２を塗布するのり付け部１３と、連続帳票１を断裁して各々の帳票１ａを得るロータリーカッタ１４とを備えている。 ロータリーカッタ１４により断裁された帳票１ａは、第１丁合機１５ａおよび第２丁合機１５ｂにおいて丁合されて積層される。積層帳票１ａは、その後第１プレス機１６ａおよび第２プレス機１６ｂにおいて加圧され、各帳票１ａはのり２により貼り付けられて製本される。【選択図】  図１
2005280059.tif 000002
【特許請求の範囲】
【請求項１】
多数の帳票からなる連続帳票を供給する連続帳票供給部と、
連続帳票の各帳票の側縁に対してのり付けするのり付け部と、
連続帳票を各帳票毎に断裁するカッターと、
カッターで断裁された帳票を所定枚数集めて丁合し積層する丁合部と、
丁合部で丁合された積層帳票を加圧して各帳票を互いにのり付けするプレス部と、を備えたことを特徴とする製本装置。
【請求項２】
プレス部においてのり付けされた積層帳票に関し、３方側縁を断裁する３方断裁部をさらに備えたことを特徴とする請求項１記載の製本装置。
【請求項３】
丁合部は一対の丁合機を有するとともに、プレス部は各丁合機に対応する一対のプレス機を有し、
三方断裁部は一対のプレス機間に配置されていることを特徴とする請求項２記載の製本装置。
【発明の詳細な説明】
【技術分野】
【０００１】
本発明は、複数の帳票を丁合しかつ積層して製本を行う製本装置に関する。
【背景技術】
【０００２】
従来より多数の帳票からなる連続帳票を各帳票毎に断裁し、断裁された帳票に対してのり付けした後、のり付けされた所定枚数の帳票を丁合して積層する製本装置が知られている（例えば特許文献１および２参照）。
【特許文献１】特開平４−１４６１９０号公報
【特許文献２】特開平１１−２４５５３８号公報
【発明の開示】
【発明が解決しようとする課題】
【０００３】
上述のように、従来の製本装置においては、連続帳票を各帳票毎に断裁した後、各帳票に対してのり付けを行っている。このように各帳票毎に断裁された後でのり付けすると、のり付けの際各帳票毎に位置合わせを行う必要があり、位置決め作業が煩雑となる。
【０００４】
本発明はこのような点を考慮してなされたものであり、のり付け作業のために各帳票毎に位置決めする必要のない製本装置を提供することを目的とする。
【課題を解決するための手段】
【０００５】
本発明は、多数の帳票からなる連続帳票を供給する連続帳票供給部と、連続帳票の各帳票の側縁に対してのり付けするのり付け部と、連続帳票を各帳票毎に断裁するカッターと、カッターで断裁された帳票を所定枚数集めて丁合し積層する丁合部と、丁合部で丁合された積層帳票を加圧して各帳票を互いにのり付けするプレス部とを備えたことを特徴とする製本装置である。
【０００６】
本発明は、プレス部においてのり付けされた積層帳票に関し、３方側縁を断裁する３方断裁部をさらに備えたことを特徴とする製本装置である。
【０００７】
本発明は、丁合部は一対の丁合機を有するとともに、プレス部は各丁合機に対応する一対のプレス機を有し、三方断裁部は一対のプレス機間に配置されていることを特徴とする製本装置である。
【発明の効果】
【０００８】
以上のように本発明によれば、容易かつ簡単に連続帳票を位置決めしてのりを連続帳票に塗布することができる。このためこの連続帳票を各帳票毎に断裁して、容易かつ簡単に積層帳票を作製し、製本することができる。
【発明を実施するための最良の形態】
【０００９】
以下、図面を参照して本発明の実施の形態について説明する。図１乃至図５は、本発明による製本装置の一実施の形態を示す図である。
【００１０】
図１および図２に示すように、製本装置１０は、２列に配置された多数の印刷済の帳票１ａを有する連続帳票１を供給する連続帳票供給部１１と、連続帳票供給部１１から供給された連続帳票１の下流側に設けられ、連続帳票１をセンタスリットして搬送方向Ｌに２つに分離するスリッタ１２ａと、スリッタ１２ａから２列で供給される連続帳票１を操作側を連続帳票１’、奥側を連続帳票１”とするとき、連続帳票１”の位置を連続帳票１’と同じ位置に移動させるターンバー１２と、連続帳票１'と連続帳票１”を重ね合わせるための糊を連続帳票１”に塗布するための糊付け部１３ａと、重ね合わせた連続帳票１に対し、各連続帳票１の側縁に搬送方向Ｌに平行に延びるのり２を塗布する糊付け部１３ｂを備えている。
【００１１】
またセンタスリットする必要がない用紙の場合には、ターンバー１２を用いることなく糊付け部１３ｂにてのみ糊を塗布することで製本を行うことが可能である。
【００１２】
また、のり付け部１３ｂの下流側には、連続帳票１を各帳票１ａ毎に断裁するロータリーカッタ１４が設けられ、ロータリーカッタ１４により断裁された各帳票１ａは、その後コンベア１９により第１丁合機１５ａと第２丁合機１５ｂとからなる丁合部１５側へ送られる。
【００１３】
第１丁合機１５ａおよび第２丁合機１５ｂは、略同一構成を有し、所定枚数の帳票１ａを集めて丁合して積層するようになっている（図４および図５）。また第１丁合機１５ａおよび第２丁合機１５ｂの下方には、各々加圧板２３が水平方向に移動自在に設けられ、さらに加圧板２３の下方には載置台２４が設けられている。
【００１４】
このうち、加圧板２３と載置台２４とにより、第１丁合機１５ａおよび第２丁合機１５ｂにおいて丁合され積層された帳票１ａを加圧し、各帳票１ａを互いにのり付けするようになっている。この場合、第１丁合機１５ａ側の加圧板２３と載置台２４とにより第１プレス機１６ａが構成され、第２丁合機１５ｂ側の加圧板２３と載置台２４とにより第２プレス機１６ｂが構成されている。また第１プレス機１６ａと第２プレス機１６ｂとによりプレス部１６が構成される。
【００１５】
次に第１丁合機１５ａおよび第２丁合機１５ｂについて詳述する。上述のように、第１丁合機１５ａと第２丁合機１５ｂは、搬送方向Ｌに沿って上流側と下流側に設けられている。
【００１６】
また第１丁合機１５ａと第２丁合機１５ｂは、各々回転軸２２ａと、回転軸２２ａの周囲に固着された複数の羽根２２とを有する羽根車からなっている。そしてロータリーカッタ１４で断裁された所定枚数の帳票１ａがコンベア１９によって第１丁合機１５ａに送られ、この第１丁合機１５ａにおいて丁合され、その後載置台２４と加圧板２３との間で加圧される。この間、次の所定枚数の帳票１ａはコンベア１９によって第１丁合機１５ａを通過して第２丁合機１５ｂに送られる。そしてこの第２丁合機１５ｂにおいて、次の所定枚数の帳票１ａが丁合されて積層され、載置台２４と加圧板２３との間で加圧されるようになっている。
【００１７】
第１丁合機１５ａ側の載置台２４および加圧板２３との間で加圧された積層帳票１ａと、第２丁合機１５ｂ側の載置台２４および加圧板２３との間で加圧された積層帳票１ａは、いずれも第１丁合機１５ａと第２丁合機１５ｂの中間位置に設けられたコンベア２０を経て三方断裁機１７に送られる。三方断裁機１７は積層された帳票１ａの３方側縁を断裁するものである。
【００１８】
次にこのような構成からなる本実施の形態の作用について説明する。
【００１９】
まず２列に配置された多数の印刷済の帳票１ａからなる連続帳票１が連続帳票供給部１１から搬送方向Ｌに沿って供給される（図３（ａ））。この連続帳票１はスリッタ１２ａにより中央部においてスリットされ、搬送方向Ｌに沿って２つに分離される。スリッタ１２ａから２列で供給される連続帳票１は操作側を連続帳票１’、奥側を連続帳票１”とすると、ターンバー１２にて連続帳票１”の位置を連続帳票１’と同じ位置に移動させ糊付け部１３ａにて連続帳票１’と連続帳票１”を重ね合わせるための糊２を連続帳票１”に塗布し、その後連続帳票１’と連続帳票１”は重ね合わされる。
【００２０】
その後２層の連続帳票１の側縁に対して、糊付け部１３ｂにより搬送方向Ｌに沿って延びるのり２が塗布される。
【００２１】
この場合、のり付け部１３ｂによって連続帳票１の側縁に対してのり２を塗布するので、断裁された各帳票１ａ毎にのり２を塗布する場合のように、各帳票１ａを位置決めする必要がない。このため容易かつ精度良く連続帳票１の側縁にのり２を塗布することができる。
【００２２】
側縁１にのり２が塗布された連続帳票１は、その後ロータリーカッタ１４へ送られ、連続帳票１は各帳票１ａ毎に断裁される（図３（ｃ））。
【００２３】
ロータリーカッタ１４で断裁された各々の帳票１ａは、その後コンベア１９によって第１丁合機１５ａおよび第２丁合機１５ｂへ送られる。
【００２４】
第１丁合機１５ａおよび第２丁合機１５ｂにおける作用について、図４および図５について説明する。
【００２５】
図４（ａ）に示すように、コンベア１９によって送られた帳票１ａは、第１丁合機１５ａの回転軸２２ａの周囲の羽根２２間に一枚ずつ挿入される。次に回転軸２２ａの回転に伴って帳票１ａが、加圧板２３上に落下する（図４（ｂ）（ｃ））。
【００２６】
このようにして第１丁合機１５ａの羽根２２によって所定枚数の帳票１ａが加圧板２３上に一枚ずつ落下し、加圧板２３上において図示しないジョガーにより丁合されて積層される。
【００２７】
この場合、各帳票１ａにはのり２が塗布されているが、こののり２は未だ乾燥していないため、複数の帳票１ａを加圧板２３上においてジョガーにより確実に摺動させて丁合することができる（図３（ｄ）および図４（ｄ））。
【００２８】
次に積層帳票１ａが加圧板２３上で丁合された後（図５（ａ））、加圧板２３が載置台２３上から側方へ逃げて積層帳票１ａが載置台２４上に載置される（図５（ｂ））。
【００２９】
その後、加圧板２３が上昇し（図５（ｃ））、再度加圧板２３が載置台２３側へ戻る（図５（ｄ））。次に載置台２３上の積層帳票１ａに対して加圧板２３が降下し、載置台２４と加圧板２３との間で積層帳票１ａが加圧される（図５（ｅ））。
【００３０】
積層帳票１ａが載置台２４と加圧板２３との間で加圧されると、帳票１ａに塗布されたのり２により各々の帳票が貼り付けられる（図３（ｅ））。
【００３１】
このようにロータリーカッタ１４によって断裁された所定枚数の帳票１ａが第１丁合機１５ａ、および加圧板２３と載置台２４とによって構成された第１プレス機１６ａによって丁合されかつ加圧される間、ロータリカッタ１４によって断裁された次の所定枚数の帳票１ａはコンベア１９により第１丁合機１５ａを通過して第２丁合機１５ｂへ向かう。そしてこの第２丁合機１５ｂと、加圧板２３と載置台２４とによって構成された第２プレス機１６ｂとによって帳票１ａの丁合および加圧作業が行われる。
【００３２】
このように第１丁合機１５ａとプレス機１６ａ、および第２丁合機１５ｂとプレス機１６ｂを用いて帳票１ａの丁合作業および加圧作業を行うため、ロータリーカッタ１４を連続して作動させながら連続帳票１を断裁することができ、かつ断裁された帳票１ａを連続的にコンベア１９により搬送することができる。
【００３３】
第１丁合機１５ａと第１プレス機１６ａ、および第２丁合機１５ｂと第２プレス機１６ｂによって各々丁合されかつ加圧された積層帳票１ａは、その後コンベア２０を経て三方断裁機１７へ送られる。そしてこの三方断裁機１７によって積層帳票１ａは３方側縁が断裁されて本が作製される。
【００３４】
以上のように本実施の形態によれば、連続帳票１に対してのり付け部１３ｂによりのり２を塗布するので、各帳票１ａ毎にのり２を塗布する場合に比べて、容易かつ簡単に連続帳票１を位置決めして、のり２を塗布することができる。このため、容易かつ簡単に積層帳票１ａを作製して本を得ることができる。
【図面の簡単な説明】
【００３５】
【図１】本発明による製本装置の一実施の形態を示す概略平面図。
【図２】本発明による製本装置の一実施の形態を示す概略側面図。
【図３】本発明による製本装置の一実施の形態を示す作用工程図。
【図４】製本装置の丁合機を示す図。
【図５】製本装置のプレス機を示す図。
【符号の説明】
【００３６】
１  連続帳票
１ａ  帳票
２  のり
１０  製本装置
１１  連続帳票供給部
１２  ターンバー
１３  のり付け部
１４  ロータリーカッタ
１５  丁合部
１５ａ  第１丁合機
１５ｂ  第２丁合機
１６  プレス部
１６ａ  第１プレス機
１６ｂ  第２プレス機
１７  三方断裁機
１９  コンベア
２０  コンベア
【図１】
2005280059.tif 000003
【図２】
2005280059.tif 000004
【図３】
2005280059.tif 000005
【図４】
2005280059.tif 000006
【図５】
2005280059.tif 000007